(57)【要約】【課題】アッパケースの開放検出用の光センサを備えたセキュリティ機器において、光センサが不正に壊されることを回避し、光センサが外部光によって誤動作することを回避し、さらに光センサの取り付けを容易とする。【解決手段】ロアケース３に、光センサ９を囲繞する囲繞壁部１１を設け、囲繞壁部１１の各端部１１ｂ１、１１ｃ１と対向する位置に、当該各端部１１ｂ１、１１ｃ１とで係止手段１４を構成する二つの係止爪部１２、１３を立設し、センサ用基板１０が各端部１１ｂ１、１１ｃ１と各係止爪部１２、１３との間に挿入されて当該各端部１１ｂ１、１１ｃ１と各係止爪部１２、１３とで係止固定されることにより、光センサ９が係止手段１４によって第３のロア側板部３ｂ３の近くに設けられると共に、囲繞壁部１１の内部に収容配置される。【選択図】図５
2015179408.tif 000002
【特許請求の範囲】
【請求項１】
矩形状をなすロア主板部（３ａ）及びその各辺縁部から相互に連続して立ち上がる４つのロア側板部（３ｂ１〜３ｂ４）を有するロアケース（３）と、
矩形状をなすアッパ主板部（４ａ）及びその各辺縁部から相互に連続して立ち上がる４つのアッパ側板部（４ｂ１〜４ｂ４）を有するアッパケース（４）と、
前記４つのロア側板部（３ｂ１〜３ｂ４）の一つのロア側板部（３ｂ１）に前記４つのアッパ側板部（４ｂ１〜４ｂ４）の一つのアッパ側板部（４ｂ１）を回動可能に係合することにより前記アッパケース（４）をロアケース（３）に開閉可能に設けた構成であり、閉塞状態で前記ロア側板部（３ｂ１〜３ｂ４）に対して前記アッパ側板部（４ｂ１〜４ｂ４）が接合した形態となり、内部にセキュリティ機能を実現するための電子部品及び表示器（８）を備えたケース（２）と、
検出領域（９Ｅ）を有すると共に一面に基板取付面（９ｉ）を有し前記ロアケース（３）において前記一つのロア側板部（３ｂ１）とは反対側である開放側のロア側板部（３ｂ３）の近くに設けられるアッパケース開放検出用の光センサ（９）と、
前記光センサ（９）における前記基板取付面（９ｉ）に取り付けられて当該光センサ（９）と一体物とされ、前記光センサ（９）から当該光センサ（９）両側に張り出す第１及び第２の張り出し板部（１０ｂ、１０ｃ）を有するセンサ用基板（１０）と、
前記アッパケース（４）において前記一つのアッパ側板部（４ｂ１）とは反対側である開放側のアッパ側板部（４ｂ３）に近傍に設けられ前記光センサ（９）によって検出される被検出部（１６）と、
前記光センサ（９）を囲繞するための囲繞壁部（１１）であって、前記ロアケース（３）の前記ロア主板部（３ａ）の内面における前記開放側のロア側板部（３ｂ３）の近傍に、前記ロア主板部（３ａ）の内面から前記アッパ主板部（４ａ）内面方向へ立ち上がる形態に形成され、前記光センサ（９）と前記開放側のロア側板部（３ｂ３）及びこれの両側に連なるロア側板部（３ｂ２、３ｂ４）との間に介在する壁板部（１１ａ〜１１ｃ）を有し、且つ前記一つのロア側板部（３ｂ１）に向く面に第１の開口（１１ｊ）を有すると共に、立ち上がり方向の先端面に第２の開口（１１ｋ）を有する囲繞壁部（１１）と、
前記ロア主板部（３ａ）の内面において前記囲繞壁部（１１）の前記壁板部（１１ａ〜１１ｃ）における前記第１の開口（１１ｊ）側の両端部（１１ｂ１、１１ｃ１）と夫々対向する位置に、前記ロア主板部（３ａ）の内面から立設する形態で可撓変形可能に形成され、前記両端部（１１ｂ１、１１ｃ１）とで、係止手段（１４）を構成する二つの係止爪部（１２、１３）と、
を備え、
前記光センサ（９）を前記第２の開口（１１ｋ）に対応させた状態で前記センサ用基板（１０）の第１及び第２の張り出し板部（１０ｂ、１０ｃ）を前記囲繞壁部（１１）における前記両端部（１１ｂ１、１１ｃ１）と各係止爪部（１２、１３）との間に挿入させることにより、前記光センサ（９）を前記囲繞壁部（１１）内に収容配置すると共に、前記光センサ（９）と一体物である前記第１及び第２の張り出し板部（１０ｂ、１０ｃ）を前記両端部（１１ｂ１、１１ｃ１）と各係止爪部（１２、１３）とからなる前記係止手段（１４）により係止固定したセキュリティ機器。
【請求項２】
さらに、前記壁板部（１１ａ〜１１ｃ）の外面から夫々前記一つのロア側板部（３ｂ１）方向に突出するように形成され前記第１及び第２の張り出し板部（１０ｂ、１０ｃ）の張り出し方向の動きを阻止する第１及び第２の動き止め部（１１ｄ、１１ｅ）を備えた請求項１記載のセキュリティ機器。
【請求項３】
前記センサ用基板（１０）は前記第１の開口（１１ｊ）を閉塞する請求項１又は２記載のセキュリティ機器。
【請求項４】
前記囲繞壁部（１１）の各壁板部（１１ｂ、１１ｃ）のうち前記第２の開口（１１ｋ）側の端部（１１ｂ２、１１ｃ２）と前記第１の開口（１１ｊ）側の端部（１１ｂ１、１１ｃ１）とにかけて斜状部（２１）を構成した請求項１から３のいずれか一項記載のセキュリティ機器。
【請求項５】
前記アッパケース（４）の一つのアッパ側板部（４ｂ１）は前記ロアケース（３）の一つのロア側板部（３ｂ１）に係合手段（５）により回動可能に係合され、
前記係合手段（５）は、前記一つのアッパ側板部（４ｂ１）に形成した被係合部（５ｂ）と、前記一つのロア側板部（３ｂ１）に形成した係合部（５ａ）とから構成され、前記被係合部（５ｂ）は前記係合部（５ａ）に対して側方から係脱可能に係合しロアケース（３）に対してアッパケース（４）が離反する方向には外れない構成であり、
前記開放側のロア側板部（３ｂ３）及び前記開放側のアッパ側板部（４ｂ３）には前記ロアケース（３）に対する前記アッパケース（４）の閉塞状態をロックするロック手段（６）を備え、
前記ケース（２）には特定操作により前記ロック手段（６）のロックを解除するためのロック解除部（１５ａ）を備えた請求項１から４のいずれか一項記載のセキュリティ機器。
【発明の詳細な説明】
【技術分野】
【０００１】
本発明は、セキュリティシステムのホームコントローラ等のセキュリティ機器に関する。
【背景技術】
【０００２】
家屋等の建物に備えられるセキュリティシステムにおいては、防災用、防犯用の各種のセンサやスイッチ等を建物や敷地に設けると共に、それらセンサ等の全体を統括管理するホームコントローラを建物に設けて構成される。セキュリティ機器としてのホームコントローラは、薄形のケース内にセキュリティ機能を実現するための電子部品や、設定内容を表示したり監視状況を表示したりする表示器を備えている。前記ケースは、ロアケースと、一端部がロアケースの一端部に回動可能に係合されて当該一端部を中心として開閉可能に設けられたアッパケースとから構成されている。
【０００３】
このホームコントローラは、前記各種センサ等からの信号を監視し、異常検出時に、ユーザーに対する報知や、警備会社への通報を行うようになっている。
この種のセキュリティシステムにあっては、例えば建物内に侵入した賊（空き巣等）が、システムによる監視を解除させたり、セキュリティを無効化させたりするために、前記ホームコントローラのロアケースとアッパケースとの接合部をドライバのような不正道具を挿入してアッパケースを無理やりこじ開けることが想定される。その対策として、ロアケースに例えば光透過型の光センサを設け、ロアケースに光センサの透過光を遮断する被検出部を設ける構成とし、システムの監視時においてアッパケースがこじ開けられると前記光センサがアッパケースの不正開放を検出し、警備会社等に知らせるようにしている。
【０００４】
前記光センサは、ロアケースにおいて前記回動中心とは反対側である開放側の他端部に設けられていて、アッパケースの開放角度が小さくても早くアッパケースの不正開放を検出するようになっている。
【先行技術文献】
【特許文献】
【０００５】
【特許文献１】特開２０１２−１８５８６０
【発明の概要】
【発明が解決しようとする課題】
【０００６】
ところで、最近では、表示器が薄形で大型化しており、監視状況を映し出すことも容易となっている。このような大型の表示器をケースに搭載する場合、表示器の外周縁部がケースの周縁部近くまで到達する形態となるため、ケースにおける余白部分が当該ケースの周縁部近くのみとなってしまう。このため、前記光センサを設置する部分もロアケースの周縁部近くとなってしまう。すると、前記不正道具が光センサに届きやすくなって、アッパケースの不正開放が検出される前に当該光センサが壊されてしまうおそれがある。光センサが壊されると、光センサが開放検出信号を出力できなくなってしまう。このためアッパケースが不正に開放されてもこれを検出できなくなってしまい、警備会社などへの通報ができなくなってしまう。
【０００７】
又、光センサがロアケースの周縁部（ロアケースとアッパケースとの接合部分）近くに位置することで、ホームコントローラを窓際等に設置した場合にケース外部からの強い光（太陽光）がケース内に入りやすくなってしまい、光センサが誤動作するおそれもある。さらに、上述したケースにおける余白部分が狭いため、光センサをねじ止めなどにより取り付ける場合、狭いところでの取付作業となるため、取付作業が面倒となる不具合もある。
【０００８】
本発明は上述の事情に鑑みてなされたものであり、その目的は、アッパケースの開放検出用の光センサを備えたセキュリティ機器において、光センサが不正に壊されることを回避できると共に、光センサが外部光によって誤動作することを回避でき、さらに光センサの取り付けも容易となるセキュリティ機器を提供することにある。
【課題を解決するための手段】
【０００９】
請求項１の発明においては、ケース（２）の内部に表示器（８）を備えている。表示器（８）は前述したように大型化してきていることから、大型の表示器（８）を採用することを考慮すると、アッパケース開放検出用の光センサ（９）は、ロアケース（３）において開放側のロア側板部（３ｂ３）の近くに設けられる。
このように光センサ（９）が、ロアケース（３）の開放側のロア側板部（３ｂ３）の近くに設けられると、賊が不正道具を用いてロアケース（３）とアッパケース（４）との接合部でアッパケース（４）をこじ開けようとしたときに、不正道具が光センサ（９）に届きやすくなって当該光センサ（９）を壊してしまうおそれがある。
【００１０】
この点、この請求項１の発明では、光センサ（９）を囲繞壁部（１１）によって囲繞するので、光センサ（９）の近くである前記開放側のロア側板部（３ｂ３）及び開放側のアッパ側板部（４ｂ３）の接合部から不正道具がケース（２）内部に進入し得たとしても、この囲繞壁部（１１）によって不正道具のそれ以上の光センサ（９）方向への進入を阻止でき、光センサ（９）が壊されることを回避できる。
【００１１】
特に、請求項１の発明では、上記囲繞壁部（１１）を、前記開放側のロア側板部（３ｂ３）及びこれの両側に連なるロア側板部（３ｂ２、３ｂ４）と光センサ（９）との間に介在する壁板部（１１ａ〜１１ｃ）を有する構成としたので、不正道具が開放側のロア側板部（３ｂ３）から光センサ（９）に対して向かってきたとしても、又、前記開放側のロア側板部（３ｂ３）の両側に連なるロア側板部（３ｂ２、３ｂ４）から向かってきたとしても、不正道具の光センサ（９）への進入を阻止できる。なお、光センサ（９）は、回動支点側である一つのロア側板部（３ｂ１）及び一つのアッパ側板部（４ｂ１）とは遠いので、この方向から光センサ（９）が壊されることはない。
【００１２】
又、光センサ（９）が、ロアケース（３）の前記開放側のロア側板部（３ｂ３）の近くに位置することで、セキュリティ機器を窓際等に設置した場合にケース（２）外部から太陽光などの外部光が光センサ（９）に入りやすくなることが懸念されるが、この請求項１の発明によれば、前記開放側のロア側板部（３ｂ３）及びその両側のロア側板部（３ｂ２、３ｂ４）と光センサ（９）との間に介在する囲繞壁部（１１）の壁板部（１１ａ〜１１ｃ）により光センサ（９）に外部光が入ることを防止できる。従って、光センサ（９）の誤動作も防止できる。
【００１３】
又、外部光の入光防止の観点から、前記囲繞壁部（１１）の壁板部（１１ａ〜１１ｃ）と光センサ（９）との隙間を小さくする形態、つまり囲繞壁部（１１）を光センサ（９）より僅かに大きい程度とすると良い。しかし、囲繞壁部（１１）を光センサ（９）より僅かに大きいぐらいの大きさとすると光センサ（９）を囲繞壁部（１１）内に配置し難くなることが予想される。又、表示器（８）と前記開放側のロア側板部（３ｂ３）との間も狭いことから光センサ（９）の取り付けも難しくなると予想される。
【００１４】
この点、請求項１の発明では、係止爪部（１２、１３）を、囲繞壁部（１１）の両端部（１１ｂ１、１１ｃ１）と対向するようにロアケース（３）に形成したので、前記光センサ（９）を前記第２の開口（１１ｋ）に対応させた状態で前記センサ用基板（１０）の第１及び第２の張り出し板部（１０ｂ、１０ｃ）を前記囲繞壁部（１１）の前記両端部（１１ｂ１、１１ｃ１）と各係止爪部（１２、１３）との間に挿入させれば、当該各端部（１１ｂ１、１１ｃ１）と各係止爪部（１２、１３）とで上記挿入をガイドできて、光センサ（９）を簡単に囲繞壁部（１１）内に配置できる。そして、センサ用基板（１０）を挿入するのみで当該センサ用基板（１０）を当該各端部（１１ｂ１、１１ｃ１）と各係止爪部（１２、１３）とで係止固定できる。つまり、囲繞壁部（１１）の一部を利用した係止手段（１４）により、光センサ（９）を簡単に囲繞壁部（１１）内に配置できると共に取付固定できる。
【００１５】
又、アッパケース（４）が回動支点を中心として開放された場合に当該アッパケース（４）の前記開放側のアッパ側板部（４ｂ３）が先にロアケース（３）に対して離間（開放）する。そして被検出部（１６）をアッパケース（４）の前記開放側のアッパ側板部（４ｂ３）側に設け、光センサ（９）をロアケース（３）の前記開放側のロア側板部（３ｂ３）側に設けているので、アッパケース（４）の開放角度が小さくても、当該アッパケース（４）の開放を直ちに検出することができる。
【００１６】
又、請求項２の発明では、さらに、前記壁板部（１１ａ〜１１ｃ）の外面から夫々前記一つのロア側板部（３ｂ１）方向に突出するように形成され前記第１及び第２の張り出し板部（１０ｂ、１０ｃ）の張り出し方向の動きを阻止する第１及び第２の動き止め部（１１ｄ、１１ｅ）を備えている。
【００１７】
前記係止手段（１４）の係止爪部（１２、１３）の係止力によってセンサ用基板（１０）の第１及び第２の張り出し板部（１０ｂ、１０ｃ）の張り出し方向の動き止めも期待できるが、この請求項２の発明のように第１及び第２の動き止め部（１１ｄ、１１ｅ）を備えることで、第１及び第２の張り出し板部（１０ｂ、１０ｃ）の張り出し方向の動き止めを確実にできる。
【００１８】
又、請求項３では、前記センサ用基板（１０）は前記第１の開口（１１ｊ）を閉塞するようにしている。これによれば、囲繞壁部（１１）とセンサ用基板（１０）とで光センサ（９）の全周囲を囲繞する形態となるので、ロアケース（３）及びアッパケース（４）の接合部全周のどの部分から外部光が進入したとしても、確実に遮光することができる。
【００１９】
又、請求項４の発明は、前記囲繞壁部（１１）の各壁板部（１１ｂ、１１ｃ）のうち前記第２の開口（１１ｋ）側の端部（１１ｂ２、１１ｃ２）と前記第１の開口（１１ｊ）側の端部（１１ｂ１、１１ｃ１）とにかけて斜状部（２１）を構成している。これによれば、光センサ（９）の取り付け時において、センサ用基板（１０）を、前記斜状部（２１）に摺接させつつ前記各端部（１１ｂ１、１１ｃ１）方向へ移動させれば、当該センサ用基板（１０）を前記各端部（１１ｂ１、１１ｃ１）と各係止爪部（１２、１３）との間に自ずと挿入させることができ、光センサ（９）の取り付けが容易となる。つまり、前記斜状部（２１）を、囲繞壁部（１１）の各端部（１１ｂ１、１１ｃ１）と各係止爪部（１２、１３）との間へセンサ用基板（１０）を挿入するときのガイドとすることができる。
【００２０】
請求項５の発明においては、前記アッパケース（４）の一つのアッパ側板部（４ｂ１）は前記ロアケース（３）の一つのロア側板部（３ｂ１）に係合手段（５）により回動可能に係合し、前記係合手段（５）は、前記一つのアッパ側板部（４ｂ１）に形成した被係合部（５ｂ）と、前記一つのロア側板部（３ｂ１）に形成した係合部（５ａ）とから構成され、前記被係合部（５ｂ）は前記係合部（５ａ）に対して側方から係脱可能に係合しロアケース（３）に対してアッパケース（４）が離反する方向には外れない構成であり、前記開放側のロア側板部（３ｂ３）及び前記開放側のアッパ側板部（４ｂ３）には前記ロアケース（３）に対する前記アッパケース（４）の閉塞状態をロックするロック手段（６）を備え、前記ケース（２）には特定操作により前記ロック手段（６）のロックを解除するためのロック解除部（１５ａ）を備えている。
【００２１】
これによれば、アッパケース（４）が閉塞された状態では、当該アッパケース（４）はロアケース（３）に対して離反する方向には外れない。つまり、係合手段（５）部分ではアッパケース（４）がロアケース（３）に係合されていて当該アッパケース（４）を外せない。そこで、前記開放側のロア側板部（３ｂ３）及び前記開放側のアッパ側板部（４ｂ３）に前記ロアケース（３）に対する前記アッパケース（４）の閉塞状態をロックするロック手段（６）を備えることで、１つのロック手段（６）によりアッパケース（４）の全体的な閉塞をロックできる。
【００２２】
さらに、本請求項５の発明においては、特定操作によりロック手段（６）のロックを解除するためのロック解除部（１５ａ）を備えることにより、ユーザーの特定操作により簡単にロックを解除でき且つ賊に対して簡単にロックを解除できないようにできる。
【００２３】
ところが上述の構成においては、常習的な賊の場合、わざわざこのロック解除部（１５ａ）が有る前記開放側のロア側板部（３ｂ３）を狙って不正道具を差し込むことも懸念される。この場合、このロック解除部（１５ａ）が存在する前記開放側のロア側板部（３ｂ３）及び前記開放側のアッパ側板部（４ｂ３）部分に上述の光センサ（９）も存在するため、この光センサ（９）が前記不正道具によって壊される確率も高くなることが予想される。しかし、この請求項５の発明では、光センサ（９）に対する破壊行為確率が高い場合でも、前述したように囲繞壁部（１１）により光センサ（９）を有効に防御できる。
【図面の簡単な説明】
【００２４】
【図１】本発明の第１実施形態によるセキュリティ機器の斜視図
【図２】アッパケースを取り外した状態のセキュリティ機器の斜視図
【図３】セキュリティ機器の縦断側面図
【図４】ロック部部分の分解斜視図
【図５】光センサ及び囲繞壁部部分の斜視図
【図６】光センサ及び囲繞壁部部分の平面図
【図７】光センサの斜視図
【図８】光センサの平面図
【図９】囲繞壁部部分の斜視図
【図１０】囲繞壁部部分の平面図
【図１１】光センサの取り付け手順を時系列で示す図
【図１２】第２実施形態を示す図９相当図
【図１３】第３実施形態を示し、光センサの取り付け手順を時系列で示す図
【発明を実施するための形態】
【００２５】
以下、本発明の第１実施形態について図１〜図１１を参照して説明する。図１には、例えばセキュリティシステムのホームコントローラなどに採用されるセキュリティ機器１を示している。セキュリティ機器１のケース２は、合成樹脂製のロアケース３とアッパケース４とを有して構成されている。なお、上記ケース２は建物などの垂直な壁面などに配設されるが、以下の構成説明においては、便宜上、ロアケース３が適宜の水平面に置かれていると仮定して説明する。
【００２６】
ロアケース３は、矩形状をなすロア主板部３ａと、当該ロア主板部３ａの各辺縁部から相互に連続して立ち上がる４つのロア側板部３ｂ１〜３ｂ４を有する構成としている。なお、ロア側板部３ｂ１を第１のロア側板部３ｂ１と称し、ロア側板部３ｂ２を第２のロア側板部３ｂ２と称し、ロア側板部３ｂ３を第３のロア側板部３ｂ３と称し、ロア側板部３ｂ４を第４のロア側板部３ｂ４と称する。
【００２７】
一つのロア側板部に相当する前記第１のロア側板部３ｂ１には、係合手段５（図２及び図３参照）の係合部に相当する二つの係合孔部５ａ、５ａが形成されている。前記第１のロア側板部３ｂ１とは反対側である開放側のロア側板部に相当する第３のロア側板部３ｂ３には、ロック手段６（図２〜図４参照）の一部を構成するロック片部６ａを上方へ延出するように形成しており、このロック片部６ａは、図３に二点鎖線で示すように可撓変形可能である。このロック片部６ａには係止孔部６ｂが形成されている。
【００２８】
上記ロアケース３のロア主板部３ａ内面には、図示しないセキュリティ機能を実現するための電子部品（図示せず）を実装した制御基板７が配設されていると共に、この制御基板７に矩形状をなす表示器８が搭載されている。この表示器８は、例えば液晶ディスプレーから構成され、一面に表示面８ａを有する。この表示器８は、平面的な大きさが大きく、外周縁部はロアケース３の各ロア側板部３ｂ１〜３ｂ４の近くまで到達する。このため、表示器８の外周縁部とロアケース３の各ロア側板部３ｂ１〜３ｂ４との間（余白部分）は比較的狭くなっている。
【００２９】
図２に示すように、光センサ９は、前記ロアケース３において、表示器８と開放側の第３のロア側板部３ｂ３と間となる部位に、後述する係止手段１４により取り付けられている。この光センサ９はアッパケース開放検出用である。この場合、表示器８の外周縁部と第３のロア側板部３ｂ３との間が狭いことからこの光センサ９は第３のロア側板部３ｂ３の近くに位置する。
【００３０】
この光センサ９は光透過型であり、図７及び図８に示すように、橋架部９ｈの両端部に一対のほぼ平行なアーム部９ａ、９ｂを一方向に突出した形態をなす。前記アーム部９ａ、９ｂの内部にそれぞれ発光部及び受光部を備えており、このアーム部９ａ、９ｂの間が検出領域９Ｅとなっている。そして、この光センサ９の一面（アーム部９ａ、９ｂ先端面と反対側の面）を基板取付面９ｉとしている。この基板取付面９ｉにはセンサ用基板１０が取り付けられている。当該センサ用基板１０と光センサ９とは一体物（センサユニット）とされている。
【００３１】
前記センサ用基板１０は、光センサ９より上下方向に長い寸法であり、当該センサ用基板１０の上部に光センサ９が位置する。つまり、センサ用基板１０には、光センサ９より下方（ロア主板部３ａ方向）へ突出する突出部１０ａを有する。
このセンサ用基板１０の突出部１０ａの両端部は、光センサ９の両側部９ａ１、９ｂ１より横方向に張り出していて、第１の張り出し板部１０ｂ及び第２の張り出し板部１０ｃを構成している。
【００３２】
前記光センサ９は後述より明らかとなるが表示器８と開放側の第３のロア側板部３ｂ３との間に設けられる。
囲繞壁部１１は、図５、図６、図９、図１０に示すように、ロアケース３のロア主板部３ａの内面に当該内面から上方向（アッパケース４のアッパ主板部４ａ（後述する）内面方向）へ立ち上がる形態に形成されている。この囲繞壁部１１は光センサ９を囲繞するものである。
【００３３】
この囲繞壁部１１は、光センサ９と第３のロア側板部３ｂ３及びこれの両側に連なるロア側板部３ｂ２、３ｂ４との間に介在する壁板部である第１〜第３の壁板部１１ａ〜１１ｃを有する。この場合、第１の壁板部１１ａは、第３のロア側板部３ｂ３と対向し、第２の壁板部１１ｂ、第３の壁板部１１ｃは、第１の壁板部１１ａの両側に連なる第２、第４のロア側板部３ｂ２、３ｂ４と対向する形態である。さらに、この囲繞壁部１１は、前記第１のロア側板部３ｂ１に向く面に第１の開口１１ｊ（図６及び図１０参照）を有すると共に、立ち上がり方向の先端面に第２の開口１１ｋ（図９参照）を有する。
【００３４】
さらに、この囲繞壁部１１は第１及び第２の動き止め部１１ｄ、１１ｅを備えている。この第１及び第２の動き止め部１１ｄ、１１ｅは、第２、第３の側板部１１ｂ、１１ｃの外面から夫々前記第１のロア側板部３ｂ１方向（図６の矢印Ａと反対方向）に突出するように形成されており、第１及び第２の張り出し板部１０ｂ、１０ｃの張り出し方向の動きを阻止するものである。
【００３５】
係止爪部１２、１３は、ロア主板部３ａの内面において囲繞壁部１１の壁板部１１ａ〜１１ｃにおける第１の開口１１ｊ側の両端部１１ｂ１、１１ｃ１と夫々対向する位置に立設する形態で可撓変形可能に形成されている。この係止爪部１２、１３は前記両端部１１ｂ１、１１ｃ１とで、係止手段１４を構成する。
【００３６】
上記係止爪部１２、１３は、同一形状であるので、一方の係止爪部１２について説明する。係止爪部１２は、ロア主板部３ａに立設された直状部１２ａと、この直状部１２ａの先端部である上端部に囲繞壁部１１の端部１１ｂ１方向へ鉤状に突出する係止突部１２ｂとを有する。前記係止突部１２ｂは先端（上端）が端部１１ｂ１方向へ下降傾斜している。なお、係止爪部１３において係止爪部１２と同じ部分には同一添え字を付している。
【００３７】
前記壁板部１１ｂ、１１ｃの各端部１１ｂ１、１１ｃ１と、係止爪部１２、１３とで係止手段１４が構成されている。
ここで、囲繞壁部１１の端部１１ｂ１と係止爪部１２の直状部１２ａとの離間距離ｇ１（図１０参照）と、センサ用基板１０の第１の張り出し板部１０ｂの板厚ｔ１（図８参照）とをほぼ同等としている。壁板部１１ｃの端部１１ｃ１と係止爪部１３の直状部１３ａとの離間距離と、第２の張り出し板部１０ｃの板厚との関係も同様である。
【００３８】
又、第１の張り出し板部１０ｂ及び第２の張り出し板部１０ｃの張り出し方向を横方向としたとき当該第１の張り出し板部１０ｂ及び第２の張り出し板部１０ｃの縦方向長さｈ１（図７参照）を係止爪部１２、１３の直状部１２ａ、１３ａの基端から係止突部１２ｂ、１３ｂまでの長さｈ２（図１１（ａ）参照）とほぼ同等としている。
さらに、囲繞壁部１１の動き止め部１１ｄ、１１ｅ間距離ｗ１（図１０参照）は、第１の張り出し板部１０ｂ及び第２の張り出し板部１０ｃの外端間距離ｗ２（図８参照）とほぼ同等としている。
【００３９】
前記光センサ９をロアケース３に取り付ける場合、図１１（ａ）に示すように、光センサ９を第２の開口９ｋに対応させた状態で、図１１（ｂ）、（ｃ）に示すように、センサ用基板１０の第１及び第２の張り出し板部１０ｂ、１０ｃを囲繞壁部１１の各端部１１ｂ１、１１ｃ１と各係止爪部１２、１３との間に挿入させることにより、光センサ９を囲繞壁部１１内に収容配置すると共に、光センサ９と一体物である第１及び第２の張り出し板部１０ｂ、１０ｃを前記各端部１１ｂ１、１１ｃ１と各係止爪部１２、１３とからなる係止手段１４により係止固定している。
【００４０】
この場合、前述したように、囲繞壁部１１の各端部１１ｂ１、１１ｃ１と係止爪部１２、１３の直状部１２ａ、１３ａとの離間距離ｇ１と、センサ用基板１０の第１の張り出し板部１０ｂの板厚ｔ１とをほぼ同等としているので、囲繞壁部１１の壁板部１１ｂ、１１ｃの各端部１１ｂ１、１１ｃ１と係止爪部１２、１３の各直状部１２ａ、１３ａとが、センサ用基板１０の第１の張り出し板部１０ｂ及び第２の張り出し板部１０ｃを、その板厚方向についてがたつきなく保持することができる。
【００４１】
又、第１の張り出し板部１０ｂ及び第２の張り出し板部１０ｃの縦方向長さｈ１を係止爪部１２、１３の直状部１２ａ、１３ａの基端から係止突部１２ｂ、１３ｂまでの長さｈ２とほぼ同等としているので、ロアケース３のロア主板部３ａ内面と係止爪部１２、１３の係止突部１２ｂ、１３ｂとにより、第１の張り出し板部１０ｂ及び第２の張り出し板部１０ｃを、その縦方向について、がたつきなく保持できる。さらに、囲繞壁部１１の動き止め部１１ｄ、１１ｅ間距離ｗ１を、第１の張り出し板部１０ｂ及び第２の張り出し板部１０ｃの外端間距離ｗ２とほぼ同等としているので、囲繞壁部１１の動き止め部１１ｄ、１１ｅにより、第１の張り出し板部１０ｂ及び第２の張り出し板部１０ｃを、その横方向についても、がたつきなく動き止めできる。総じて第１の張り出し板部１０ｂ及び第２の張り出し板部１０ｃを、がたつきなく取り付けることができ、よって、光センサ９を、がたつきなく所定の位置である囲繞壁部１１の内部に取り付けることができる。
【００４２】
この取付状態において、囲繞壁部１１の第１の壁板部１１ａは、前記光センサ９において第３のロア側板部３ｂ３と対向する対向部分９ｚ（これは図７に示すようにアーム部先端９ａ２、９ｂ２及びこれらと並ぶ検出領域９Ｅの先端面９Ｅ１を含む）を覆い、第２及び第３の壁板部１１ｂ、１１ｃは、第１の壁板部１１ａの両端部から光センサ９の両側部９ａ１、９ｂ１方向へ延びて当該両側９ａ１、９ｂ１部分を覆う。
【００４３】
又、この取付状態において、センサ用基板１０が光センサ９よりもロアケース３のロア主板部３ａ方向へ突出する突出部１０ａを有するから、図１１（ｃ）に示すように、当該突出部１０ａにより光センサ９がロアケース３のロア主板部３ａから浮く（離間する）形態となる。又、前記第１の開口１１ｊはセンサ用基板１０によって閉塞される。
【００４４】
一方、前記アッパケース４は、矩形状をなすアッパ主板部４ａと、このアッパ主板部４ａの各辺縁部から相互に連続して立ち上がる４つのアッパ側板部４ｂ１〜４ｂ４を有する。なお、アッパ側板部４ｂ１を第１のアッパ側板部４ｂ１と称し、アッパ側板部４ｂ２を第２のアッパ側板部４ｂ２と称し、アッパ側板部４ｂ３を第３のアッパ側板部４ｂ３、アッパ側板部４ｂ４を第４のアッパ側板部４ｂ４と称する。
【００４５】
又、このアッパ主板部４ａには、表示器用窓４ｃが設けられており、この表示器用窓４ｃには透明パネル４ｄが装着されている。なお、この透明パネル４ｄは無くても良い。
前記第１のアッパ側板部４ｂ１には、前記係合孔部５ａ、５ａとで、前記係合手段５を構成する被係合部としての係合突起部５ｂ、５ｂが形成されている。この係合突起部５ｂ、５ｂは前記係合孔部５ａ、５ａに横方向（側方）から挿入係合可能であり、挿入係合されると上下方向（アッパケース４がロアケース３と離反する方向）には外れない形態に係合される。
又、前記第３のアッパ側板部４ｂ３の内面には、図２〜図４に示すように、前記ロック片部６ａ及び係止孔部６ｂとでロック手段６を構成する係止爪部６ｃが形成されている。前記係止爪部６ｃは前記係止孔部６ｂに挿入されて係止される。
【００４６】
又、前記第３のアッパ側板部４ｂ３においてロック片部６ａの上部と対応する部分には、ロック解除部としてのロック解除用孔部１５ａが形成されている。又、この実施形態では、このロック解除用孔部１５ａに差し込むための解除器具１５ｂを備えている。
さらに、図２に示すように、アッパケース４のアッパ主板部４ａにおいて前記光センサ９の検出領域９Ｅに対応する部分には、ロアケース３に対するアッパケース４の閉塞状態で光センサ９の検出領域９Ｅに進入する板状の被検出部１６が形成されている。
【００４７】
上記アッパケース４をロアケース３に取り付ける場合には、係止突起部５ｂ、５ｂを、ロアケース３の前記係止孔部５ａ、５ａに側方（図３の矢印Ｂ方向）から挿入係合し、この係合部分を回動支点としてアッパケース４を回動させてロアケース３に被せる（ロアケース３を閉塞する）。すると係止爪部６ｃがロック片部６ａを図３の二点鎖線のように変形させ、そしてロック片部６ａが係止孔部６ｂに遭遇したところでロック片ａが変形状態から復帰して係止爪部６ｃが係止孔部６ｂに係止される。この係止によりロアケース３に対するアッパケース４の閉塞状態をロックする。この閉塞状態のケース２において、ロアケース３の各のロア側板部３ｂ１〜３ｂ４に対してアッパケース４のアッパ側板部４ｂ１〜４ｂ４が板厚方向で接合された形態となる。
【００４８】
前記アッパケース４をロアケース３に対して開放する場合には、ロック解除用孔部１５ａに対して専用の解除器具１５ｂを挿入するといった特定操作をしてロック片部６ａを図３の二点鎖線に示すように変形させ、つまり係止孔部６ｂを係止爪部６ｃから外して係合を解除し、この状態で、アッパケース４の第３のロア側板部３ｂ３部分を二点鎖線で示すように開放させる。この後、二点鎖線状態のアッパケース４を図３の反矢印Ｂ方向へ動かすことで、係合突起部５ｂを係合孔部５ａから外せば、アッパケース４をロアケース３から分離できる。
【００４９】
又、上記アッパケース４の閉塞時に前記被検出部１６が検出領域９Ｅ内に進入する。又、前記表示器８の表示面８ａが前記アッパケース４の表示用窓部４ｃから外部に目視可能となっている。
なお、アッパケース４が第１のアッパ側板部４ｂ１側の係合手段５を中心として開放された場合に当該アッパケース４の第３のアッパ側板部４ｂ３が先にロアケース３に対して離間（開放）する。この場合、被検出部１６をアッパケース４の第３のアッパ側板部４ｂ３側に設け、光センサ９をロアケース３の第３のロア側板部３ｂ３側に設けているので、アッパケース４の開放角度が小さくても、当該アッパケース４の開放を直ちに検出することができる。
【００５０】
上述した実施形態においては、大型の表示器８を採用している。このような大型の表示器８を採用する場合、ロアケース３において表示器８と第３のロア側板部３ｂ３との間の余白部分がどうしても狭くなる。このような事情下では、アッパケース開放検出用の光センサ９は、ロアケース３において上記狭い余白部分に設けられることになる。
光センサ９は、上記余白部分のうちでも、アッパケース４が第１のアッパ側板部４ｂ１側を回動支点として開閉される場合、早くにアッパケース４の開放を検出できる第３のロア側板部３ｂ３側に設けられることになる。この場合、上記余白部分が狭いことから光センサ８は当然当該ロア側板部３ｂの近くとなる。
【００５１】
このように光センサ９が、ロアケース３の第３のロア側板部３ｂ３の近くに設けられると、賊が不正道具を用いてロアケース３とアッパケース４との接合部でアッパケース４をこじ開けるようとしたときに、不正道具が光センサ９に届きやすくなって当該光センサ９を壊してしまうおそれがある。
この点、本実施形態では、光センサ９を囲繞壁部１１によって囲繞するので、不正道具がケース２内部に進入し得たとしても、この囲繞壁部１１によって不正道具のそれ以上の光センサ９方向への進入を阻止でき、光センサ９が壊されることを回避できる。
【００５２】
特に、本実施形態では、上記囲繞壁部１１を、光センサ９と第３のロア側板部３ｂ３及びこれの両側に連なるロア側板部３ｂ２、３ｂ４との間に介在する第１〜第３の壁板部１１ａ〜１１ｃを連続して有する構成としたので、不正道具が第３のロア側板部３ｂ３から光センサ９に対して向かってきたとしても、あるいは第２及び第３のロア側板部３ｂ２、３ｂ４から向かってきたとしても不正道具の光センサ９への進入を阻止できる。なお、光センサ９は、第１のロア側板部３ｂ１及び第１のアッパ側板部４ｂ１とは遠いので、この方向から光センサ９が壊されることはない。
【００５３】
又、光センサ９が、ロアケース３の第３のロア側板部３ｂ３の近くに位置することで、セキュリティ機器１を窓際等に設置した場合にケース２外部からの太陽光（強い外部光）が光センサ９に入りやすくなることが懸念されるが、この実施形態によれば、光センサ９と第３のロア側板部３ｂ３及びその両側のロア側板部３ｂ２、３ｂ４との間に介在する第１〜第３の壁板部１１ａ〜１１ｃにより光センサ９にケース２外部の光が入ることを防止できる。この結果、光センサ９が外部光によって誤動作することを回避できる。
【００５４】
ここで、前記囲繞壁部１１の各壁部は、外部光進入防止の観点から、光センサ９に近づける形態、つまり光センサ９より僅かに大きな形態とすると良い。しかし、囲繞壁部１１が光センサ９より僅かに大きい大きさであると光センサ９を囲繞壁部１１内に配置し難くなることが予想される。又、表示器８とロア側板部３ｂ３との間も狭いことからも光センサ９の取り付けも難しくなると予想される。
【００５５】
しかし、本実施形態では、係止爪部１２、１３を、囲繞壁部１１の両端部１１ｂ１、１１ｃ１と対向するようにロアケース３に形成したので、前記光センサ９を前記第２の開口１１ｋに対応させた状態でセンサ用基板１０の第１及び第２の張り出し板部１０ｂ、１０ｃを前記囲繞壁部１１の壁板部１１ａ〜１１ｃにおける前記両端部１１ｂ１、１１ｃ１と各係止爪部１２、１３との間に挿入させれば、当該各端部１１ｂ１、１１ｃ１と各係止爪部１２、１３とで上記挿入をガイドできて、光センサ９を簡単に囲繞壁部１１内に配置できる。
【００５６】
そして、センサ用基板１０を挿入するのみで当該センサ用基板１０を当該各端部１１ｂ１、１１ｃ１と各係止爪部１２、１３とで係止固定できる。つまり、囲繞壁部１１の一部を利用した係止手段１４により、光センサ９を簡単に囲繞壁部１１内に配置できると共に取付固定できる。
【００５７】
ここで、係止手段１４の係止爪部１２、１３の係止力によってセンサ用基板１０の第１及び第２の張り出し板部１０ｂ、１０ｃの張り出し方向の動き止めも期待できるが、この実施形態では、第１及び第２の動き止め部１１ｄ、１１ｅを備えたので、第１及び第２の張り出し板部１０ｂ、１０ｃの張り出し方向の動き止めを確実にできる。
又、この実施形態では、センサ用基板１０により第１の開口１１ｊを閉塞するようにしている。これによれば、囲繞壁部１１とセンサ用基板１０とで光センサ９の全周囲を囲繞する形態となるので、ロアケース３及びアッパケース４の接合部全周のどの部分から外部光が進入したとしても、確実に遮光することができる。
【００５８】
又、本実施形態においては、係合手段５を、第１のアッパ側板部４ｂ１に形成した係合突起部５ｂ、５ｂと、第１のロア側板部３ｂ１に形成した係合孔部５ａ、５ａとから構成し、前記係合突起部５ｂ、５ｂを前記係合孔部５ａに対して側方から係脱可能に係合しロアケース３に対してアッパケース４が離反する方向には外れない構成とし、第３のロア側板部３ｂ３及び第３のアッパ側板部４ｂ３にはロアケース３に対するアッパケース４の閉塞状態をロックするロック手段６を備え、アッパケース４又はロアケース３には特定操作によりロック手段６のロックを解除するためのロック解除用孔部１５ａを備えている。
【００５９】
これによれば、アッパケース４が閉塞された状態では、当該アッパケース４はロアケース３に対して離反しない。つまり、係合手段５部分ではアッパケース４がロアケース３に係合されていて当該アッパケース４を外せない。そこで、第３のロア側板部３ｂ３及び第３のアッパ側板部４ｂ３に、ロアケース３に対するアッパケース４の閉塞状態をロックするロック手段６を備えることで、１つのロック手段６によりアッパケース４の全体的な閉塞をロックできる。
さらに、この実施形態では、特定操作によりロック手段６のロックを解除するためのロック解除部であるロック解除用孔部１５ａを備えることにより、ユーザーの特定操作により簡単にロックを解除でき且つ賊に対して簡単にロックを解除できないようにできる。
【００６０】
ところが上述の構成とすると、賊がわざわざこのロック解除用孔部１５ａがある第３のロア側板部３ｂ３を狙って不正道具を差し込むことも懸念される。この場合、このロック解除用孔部１５ａが存在する第３のロア側板部３ｂ３及び第３のアッパ側板部４ｂ３部分に上述の光センサ９も存在するため、この光センサ９が前記不正道具によって壊される確率も高くなることが予想される。しかし、この実施形態では、光センサ９に対する破壊行為確率が高い場合でも、前述したように囲繞壁部１１により光センサ９を有効に防御できる。
【００６１】
又、本実施形態においては、センサ用基板１０が光センサ９よりもロアケース３のロア主板部３ａ方向へ突出する突出部１０ａを有するから、当該突出部１０ａにより光センサ９がロアケース３のロア主板部３ａから浮く（離間する）形態となる。これによれば、光センサ９をアッパケース４のアッパ主板部４ａに近づけることができる。この結果、光センサ９がロア主板部３ａ近くに配設される場合に比して、被検出部１６の突出長さを短くできる。つまり、被検出部１６をアッパ側板部４ｂ１〜４ｂ４より短くすること（突出しないようにすること）が可能となる。そうすると、保守点検時において、アッパケース４が外されて適宜の置き台に置かれたとしても当該被検出部１６が置き台などに当たることがなく、被検出部１６の損傷を防止できる。特に被検出部１６は光センサ９の狭い検出領域９Ｅに入ることから薄板状であるため破損し易いから、上記構成は有利である。
【００６２】
次に図１２は第２実施形態を示し、この実施形態では囲繞壁部１１の第１の壁板部１１ａに被検出部１６逃げ用のスリット２０を形成した点が第１実施形態と異なる。この構成によると、被検出部１６の幅を広くでき、光センサ９による被検出部１６の検出の確実化に寄与できる。この場合、このスリット２０は、アッパケース４の閉塞状態では前記被検出部１６により殆ど埋められるので、不正道具の侵入防止や外部光の侵入防止を損なうことがない。
【００６３】
次に図１３は第３実施形態を示しており、斜状部２１を形成した点が次の点が第１実施形態と異なる。この斜状部２１は、囲繞壁部１１の第１及び第２の壁板部１１ｂ、１１ｃのうち第２の開口１１ｋ側の端部１１ｂ２、１１ｃ２と、第１の開口１１ｊ側の端部１１ｂ１、１１ｃ１とにかけて形成されている。これによれば、光センサ９の取り付け時において、センサ用基板１０を、斜状部２１に摺接させつつ前記各端部１１ｂ１、１１ｃ１方向へ移動させれば、当該センサ用基板１０を前記各端部１１ｂ１、１１ｃ１と各係止爪部１２、１３との間に自ずと挿入させることができ、光センサ９の取り付けが容易となる。つまり、前記斜状部２１を、囲繞壁部１１の各端部１１ｂ１、１１ｃ１と各係止爪部１２、１３との間へセンサ用基板１０を挿入するときのガイドとすることができる。
【００６４】
なお、光センサ９は、開放側のロア側板部３ｂ３の近くに設けられれば良く、第２のロア側板部３ｂ２部分又は第４のロア側板部３ｂ４部分においてロア側板部３ｂ３の近くであっても良い。又、囲繞壁部１１の壁板部を、第１〜第３の壁板部１１ａ〜１１ｃから平面的に見てコ字状に構成したが、円弧状などでも良い。
【００６５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変更は、発明の範囲や要旨に含まれるとともに、特許請求の範囲に記載された発明とその均等の範囲に含まれる。
【符号の説明】
【００６６】
図面中、１はセキュリティ機器、２はケース、３はロアケース、３ａはロア主板部、３ｂ１〜３ｂ４はロア側板部、４はアッパケース、４ａはアッパ主板部、４ｂ１〜４ｂ４はアッパ側板部、５は係合手段、６はロック手段、８は表示器、９は光センサ、１０はセンサ用基板、１０ａは突出部、１０ｂは第１の張り出し板部、１０ｃは第２の張り出し板部、１１は囲繞壁部、１１ａ〜１１ｃは壁板部、１１ｂ１、１１ｃ１は端部、１１ｄ、１１ｅは動き止め部、１１ｊは第１の開口、１１ｋは第２の開口、１２、１３は係止爪部、１４は係止手段、１５ａはロック解除部、１６は被検出部、２１は斜状部を示す。
【図１】
2015179408.tif 000003
【図２】
2015179408.tif 000004
【図３】
2015179408.tif 000005
【図４】
2015179408.tif 000006
【図５】
2015179408.tif 000007
【図６】
2015179408.tif 000008
【図７】
2015179408.tif 000009
【図８】
2015179408.tif 000010
【図９】
2015179408.tif 000011
【図１０】
2015179408.tif 000012
【図１１】
2015179408.tif 000013
【図１２】
2015179408.tif 000014
【図１３】
2015179408.tif 000015